(57)【要約】  モータ駆動装置（２）は、非対称形状のティース（１２ｅ）を有する単相モータ（１２）を駆動する。モータ駆動装置（２）は、単相モータ（１２）に交流電力を供給するインバータ（１１）を備え、単相モータ（１２）にインバータ（１１）の出力電圧を印加して単相モータ（１２）を起動する際に、インバータ（１１）又は単相モータ（１２）に流れる電流の絶対値が第１の閾値（Ｖｔｈ１）を超えた場合には、出力電圧の印加を停止し、その後、出力電圧の極性を反転する。
2020208786.tif 000002
【特許請求の範囲】
【請求項１】
非対称形状のティースを有する単相モータを駆動するモータ駆動装置であって、
前記単相モータに交流電力を供給するインバータを備え、
前記単相モータに前記インバータの出力電圧を印加して前記単相モータを起動する際に、前記インバータ又は前記単相モータに流れる電流の絶対値が第１の閾値を超えた場合には、前記出力電圧の印加を停止し、その後、前記出力電圧の極性を反転する
モータ駆動装置。
【請求項２】
前記電流の絶対値が前記第１の閾値を超えない場合には、前記出力電圧を前記単相モータに印加してからの経過時間が第１の時間を超え、且つ、前記電流の絶対値が前記第１の閾値よりも小さい第２の閾値を超えた場合に前記出力電圧の極性を反転する
請求項１に記載のモータ駆動装置。
【請求項３】
前記単相モータを起動する際、前記インバータは、前記単相モータにパルス状の電圧を印加する
請求項１又は２に記載のモータ駆動装置。
【請求項４】
複数の前記パルス状の電圧は、等幅の電圧パルス列である
請求項３に記載のモータ駆動装置。
【請求項５】
前記パルス状の電圧は、キャリアと電圧指令とに基づいて生成される
請求項３又は４に記載のモータ駆動装置。
【請求項６】
前記単相モータの起動時には、前記キャリアの山と谷の中間地点で前記電流を検出し、
前記単相モータの駆動時には、前記キャリアの山及び谷の少なくとも１つで前記電流を検出する
請求項５に記載のモータ駆動装置。
【請求項７】
非対称形状のティースを有する単相モータを駆動するモータ駆動装置であって、
前記単相モータに交流電力を供給するインバータを備え、
前記単相モータを停止する際に、前記インバータの出力電圧を前記単相モータに印加し、
前記インバータ又は前記単相モータに流れる電流の絶対値が第１の閾値を超えた時点で前記出力電圧の印加を停止し、
前記インバータ又は前記単相モータに流れる電流の絶対値が前記第１の閾値を超えない場合には、前記出力電圧を前記単相モータに印加してからの経過時間が第１の時間を超え、且つ、前記インバータ又は前記単相モータに流れる電流の絶対値が前記第１の閾値よりも小さい第２の閾値を超えた時点で前記出力電圧の印加を停止する
モータ駆動装置。
【請求項８】
前記インバータは、ブリッジ接続される複数のスイッチング素子を有し、
複数の前記スイッチング素子のうちの少なくとも１つはワイドバンドギャップ半導体で形成されている
請求項１から７の何れか１項に記載のモータ駆動装置。
【請求項９】
前記ワイドバンドギャップ半導体は、炭化珪素、窒化ガリウム、酸化ガリウム又はダイヤモンドである
請求項８に記載のモータ駆動装置。
【請求項１０】
請求項１から９の何れか１項に記載のモータ駆動装置を備えた電動送風機。
【請求項１１】
請求項１０に記載の電動送風機を備えた電気掃除機。
【請求項１２】
請求項１０に記載の電動送風機を備えたハンドドライヤ。
【発明の詳細な説明】
【技術分野】
【０００１】
本発明は、単相モータを駆動するモータ駆動装置、モータ駆動装置によって駆動される単相モータを搭載した電動送風機、電気掃除機及びハンドドライヤに関する。
【背景技術】
【０００２】
従来、多相ブラシレスモータで位置センサレス起動する場合、インバータが生成する回転磁界に追従してモータが回転するように高周波の電圧を印加する方法がある。また、下記特許文献１には、三相のセンサレスブラシレスモータの起動方法において、１回の通電でロータの初期位置を設定し、設定した初期位置に基づいてロータの回転速度を上昇させ、回転速度が上昇した後に、ロータの位置検出を行う方法が開示されている。
【先行技術文献】
【特許文献】
【０００３】
【特許文献１】特開平１−３０８１９２号公報
【発明の概要】
【発明が解決しようとする課題】
【０００４】
上記の通り、多相モータでは、種々の起動方法が提案されている。しかしながら、単相モータの場合、インバータによる回転磁界が生成できない。このため、高周波の電圧を印加してもロータの位置を判断することが困難である。従って、単相モータを位置センサレスで起動する場合、安定した起動が困難であるという課題がある。【０００５】
本発明は、上記に鑑みてなされたものであって、単相モータを位置センサレスで起動する場合であっても、単相モータを安定的に起動することができるモータ駆動装置を得ることを目的とする。
【課題を解決するための手段】
【０００６】
上述した課題を解決し、目的を達成するために、本発明は、非対称形状のティースを有する単相モータを駆動するモータ駆動装置である。モータ駆動装置は、単相モータに交流電力を供給するインバータを備える。モータ駆動装置は、単相モータにインバータの出力電圧を印加して単相モータを起動する際に、インバータ又は単相モータに流れる電流の絶対値が第１の閾値を超えた場合には、出力電圧の印加を停止し、その後、出力電圧の極性を反転する。
【発明の効果】
【０００７】
本発明に係るモータ駆動装置によれば、単相モータを位置センサレスで起動する場合であっても、単相モータを安定的に起動することができるという効果を奏する。
【図面の簡単な説明】
【０００８】
【図１】実施の形態に係るモータ駆動装置を含むモータ駆動システムの構成を示すブロック図
【図２】実施の形態における単相モータの構造の説明に供する断面図
【図３】図２に示す単相モータを励磁した際のロータ位置の変化を示す図
【図４】図２に示す単相モータのトルク特性を示す図
【図５】図１に示すインバータの回路図
【図６】図５に示すインバータの変形例を示す回路図
【図７】図１に示す制御部の機能部位のうちのパルス幅変調（Ｐｕｌｓｅ  Ｗｉｄｔｈ  Ｍｏｄｕｌａｔｉｏｎ：ＰＷＭ）信号を生成する機能部位を示すブロック図
【図８】図７に示すキャリア比較部の一例を示すブロック図
【図９】図８に示すキャリア比較部を用いて動作させたときの要部の波形例を示すタイムチャート
【図１０】図７に示すキャリア比較部の他の例を示すブロック図
【図１１】図１０に示すキャリア比較部を用いて動作させたときの要部の波形例を示すタイムチャート
【図１２】図８に示すキャリア比較部を用いて動作させたときの要部の波形例を示す図９とは異なるタイムチャート
【図１３】実施の形態における起動制御の説明に供する第１の図
【図１４】実施の形態における起動制御の説明に供する第２の図
【図１５】実施の形態における電流検出タイミングの説明に供するタイムチャート
【図１６】実施の形態に係るモータ駆動装置を備えた電気掃除機の構成図
【図１７】実施の形態に係るモータ駆動装置を備えたハンドドライヤの構成図
【発明を実施するための形態】
【０００９】
以下に、本発明の実施の形態に係るモータ駆動装置、電動送風機、電気掃除機及びハンドドライヤを図面に基づいて詳細に説明する。なお、以下の実施の形態により、本発明が限定されるものではない。
【００１０】
実施の形態．
図１は、実施の形態に係るモータ駆動装置２を含むモータ駆動システム１の構成を示すブロック図である。図１に示すモータ駆動システム１は、単相モータ１２と、モータ駆動装置２と、バッテリ１０と、を備える。モータ駆動装置２は、単相モータ１２に交流電力を供給して単相モータ１２を駆動する駆動装置である。バッテリ１０は、モータ駆動装置２に直流電力を供給する直流電源である。
【００１１】
モータ駆動システム１は、電圧センサ２０及び電流センサ２２を備えている。モータ駆動システム１は、ロータ１２ａの回転位置を検出するための位置センサ信号を用いない、いわゆる位置センサレスの駆動システムである。
【００１２】
モータ駆動装置２は、インバータ１１と、アナログディジタル変換器３０と、制御部２５と、駆動信号生成部３２とを備える。
【００１３】
電圧センサ２０は、バッテリ１０からモータ駆動装置２に出力される直流電圧Ｖｄｃを検出するセンサである。直流電圧Ｖｄｃは、バッテリ１０の出力電圧であり、インバータ１１への印加電圧である。
【００１４】
電流センサ２２は、モータ電流Ｉｍを検出するセンサである。モータ電流Ｉｍは、インバータ１１から単相モータ１２へ供給される交流電流である。モータ電流Ｉｍは、単相モータ１２のステータ１２ｂに巻かれている、図１では不図示の巻線に流れる交流電流に等しい。電流センサ２２には、変流器（Ｃｕｒｒｅｎｔ  Ｔｒａｎｓｆｏｒｍｅｒ：ＣＴ）、又はシャント抵抗を用いて電流を検出する電流検出器を例示できる。
【００１５】
単相モータ１２は、不図示の電動送風機を回転させる回転電機として利用される。電動送風機は、電気掃除機及びハンドドライヤといった装置に搭載される。
【００１６】
なお、本実施の形態では、電圧センサ２０が直流電圧Ｖｄｃを検出しているが、これに限定されない。電圧センサ２０の検出対象は、モータ駆動装置２の出力電圧であるインバータ出力電圧でもよい。なお、インバータ出力電圧は、インバータ１１から単相モータ１２に向けて出力される交流電圧に等しい。また、インバータ出力電圧は、後述するモータ印加電圧と同義である。
【００１７】
インバータ１１は、バッテリ１０から印加される直流電圧Ｖｄｃを交流電圧に変換する電力変換器である。インバータ１１は、単相モータ１２に接続され、変換した交流電圧を単相モータ１２に印加することで、単相モータ１２に交流電力を供給する。
【００１８】
アナログディジタル変換器３０は、アナログデータをディジタルデータに変換する信号変換器である。アナログディジタル変換器３０は、電圧センサ２０によって検出された直流電圧Ｖｄｃの検出値をディジタルデータに変換して制御部２５に出力する。また、アナログディジタル変換器３０は、電流センサ２２によって検出されたモータ電流Ｉｍの検出値をディジタルデータに変換して制御部２５に出力する。
【００１９】
制御部２５は、アナログディジタル変換器３０で変換されたディジタル出力値３０ａと、電圧振幅指令Ｖ＊とに基づいて、ＰＷＭ信号Ｑ１，Ｑ２，Ｑ３，Ｑ４（以下、適宜「Ｑ１〜Ｑ４」と表記）を生成する。電圧振幅指令Ｖ＊については、後述する。
【００２０】
駆動信号生成部３２は、制御部２５から出力されるＰＷＭ信号Ｑ１〜Ｑ４に基づいて、インバータ１１内のスイッチング素子を駆動するための駆動信号Ｓ１，Ｓ２，Ｓ３，Ｓ４（以下、適宜「Ｓ１〜Ｓ４」と表記）を生成する。
【００２１】
制御部２５は、プロセッサ３１、キャリア生成部３３及びメモリ３４を有する。プロセッサ３１は、ＰＷＭ制御を行うためのＰＷＭ信号Ｑ１〜Ｑ４を生成する。プロセッサ３１は、ＰＷＭ制御及び進角制御に関する各種演算を行う処理部である。プロセッサ３１としては、ＣＰＵ（Ｃｅｎｔｒａｌ  Ｐｒｏｃｅｓｓｉｎｇ  Ｕｎｉｔ）、マイクロプロセッサ、マイコン、マイクロコンピュータ、ＤＳＰ（Ｄｉｇｉｔａｌ  Ｓｉｇｎａｌ  Ｐｒｏｃｅｓｓｏｒ）、又はシステムＬＳＩ（Ｌａｒｇｅ  Ｓｃａｌｅ  Ｉｎｔｅｇｒａｔｉｏｎ）を例示できる。
【００２２】
メモリ３４には、プロセッサ３１によって読みとられるプログラムが保存される。メモリ３４は、プロセッサ３１が演算処理を行う際の作業領域としても使用される。メモリ３４は、ＲＡＭ（Ｒａｎｄｏｍ  Ａｃｃｅｓｓ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（登録商標）（Ｅｌｅｃｔｒｉｃａｌｌｙ  ＥＰＲＯＭ）といった不揮発性又は揮発性の半導体メモリが一般的である。キャリア生成部３３の構成の詳細は後述する。
【００２３】
図２は、実施の形態における単相モータ１２の構造の説明に供する断面図である。図２には、実施の形態で用いる単相モータ１２の一例として、単相の永久磁石ブラシレスモータのロータ１２ａ及びステータ１２ｂの断面形状が示されている。
【００２４】
ロータ１２ａはシャフト１２ｃに嵌合され、図示の矢印方向、すなわち反時計回りに回転可能に構成される。ロータ１２ａには、４個の永久磁石が周方向に配列されている。これらの４個の永久磁石は、着磁方向が周方向に交互に反転するように配置され、ロータ１２ａにおける磁極を形成する。なお、本実施の形態では、ロータ１２ａの磁極数が４極の場合を例示するが、ロータ１２ａの磁極数は４極以外でもよい。
【００２５】
ロータ１２ａの周囲には、ステータ１２ｂが配置される。ステータ１２ｂは、４つの分割コア１２ｄが環状に連結されて構成されている。
【００２６】
分割コア１２ｄは、非対称形状のティース１２ｅを有する。ティース１２ｅには、巻線１２ｆが巻回されている。ティース１２ｅは、ロータ１２ａ側に突出する第１先端部１２ｅ１及び第２先端部１２ｅ２を有する。回転方向に対し、回転方向の先にある側が第１先端部１２ｅ１であり、回転方向の後にある側が第２先端部１２ｅ２である。ここで、第１先端部１２ｅ１とロータ１２ａとの距離を「第１ギャップ」と呼び、Ｇ１で表す。また、第２先端部１２ｅ２とロータ１２ａとの距離を「第２ギャップ」と呼び、Ｇ２で表す。第１ギャップＧ１と第２ギャップＧ２との間には、Ｇ１＜Ｇ２の関係がある。
【００２７】
図３は、図２に示す単相モータ１２を励磁した際のロータ位置の変化を示す図である。図４は、図２に示す単相モータのトルク特性を示す図である。図３の上段部には、ロータ１２ａの停止位置が示されている。ロータ１２ａの停止位置において、磁極の中心を表す磁極中心線と、構造的な中心を表すティース中心線とは、回転方向に対して磁極中心線が先行するようにずれている。これは、単相モータ１２が非対称形状のティース１２ｅを有する構造であるために生ずる。この構造により、図４に示すようなトルク特性が表れる。
【００２８】
図４において、実線で示す曲線Ｋ１はモータトルク、破線で示す曲線Ｋ２はコギングトルクを表している。モータトルクは、ステータ１２ｂの巻線に流れる電流によってロータ１２ａに発生するトルクである。コギングトルクは、ステータ１２ｂの巻線に電流が流れていないときに永久磁石の磁力によってロータ１２ａに発生するトルクである。反時計方向をトルクの正にとる。また、図４の横軸は機械角を表しており、磁極中心線がティース中心線に一致するロータ１２ａの停止位置が機械角０°である。図４に示されるように、機械角０°のときのコギングトルクは正である。このため、ロータ１２ａは反時計方向に回転し、コギングトルクがゼロとなる機械角θ１の位置で停止する。この機械角θ１の位置が、図３の上段部に示す停止位置である。
【００２９】
図２に示す単相モータ１２の場合、ロータ１２ａの停止位置は２箇所ある。停止位置の１つは、上述した図３の上段部に示す停止位置であり、もう１つは図３の下段部に示す停止位置である。巻線１２ｆに直流電圧を印加すると、反時計回りに回転し、図３の中段部に示す励磁中の状態を経て図３の下段部に示す状態で停止する。図３の例の場合、直流電圧の印加によってティース１２ｅに発生する磁力が、対向するロータ１２ａの磁極と同極であるため、回転方向にトルクがかかり、ロータ１２ａは回転する。そして、ある時間が経過し、ティース１２ｅに発生する磁力と、対向するロータ１２ａの磁極とが異極となる図３の下段部の位置で安定的に停止する。
【００３０】
図５は、図１に示すインバータ１１の回路図である。インバータ１１は、ブリッジ接続される複数のスイッチング素子５１，５２，５３，５４（以下、「５１〜５４」と表記）を有する。
【００３１】
スイッチング素子５１，５２は、第１のレグであるレグ５Ａを構成する。レグ５Ａは、第１のスイッチング素子であるスイッチング素子５１と、第２のスイッチング素子であるスイッチング素子５２とが直列に接続された直列回路である。
【００３２】
スイッチング素子５３，５４は、第２のレグであるレグ５Ｂを構成する。レグ５Ｂは、第３のスイッチング素子であるスイッチング素子５３と、第４のスイッチング素子であるスイッチング素子５４とが直列に接続された直列回路である。
【００３３】
レグ５Ａ，５Ｂは、高電位側の直流母線１６ａと低電位側の直流母線１６ｂとの間に、互いに並列になるように接続される。これにより、レグ５Ａ，５Ｂは、バッテリ１０の両端に並列に接続される。
【００３４】
スイッチング素子５１，５３は、高電位側に位置し、スイッチング素子５２，５４は、低電位側に位置する。一般的に、インバータ回路では、高電位側は「上アーム」と称され、低電位側は「下アーム」と称される。よって、レグ５Ａのスイッチング素子５１を「上アームの第１のスイッチング素子」と呼び、レグ５Ａのスイッチング素子５２を「下アームの第２のスイッチング素子」と呼ぶ場合がある。同様に、レグ５Ｂのスイッチング素子５３を「上アームの第３のスイッチング素子」と呼び、レグ５Ｂのスイッチング素子５４を「下アームの第４のスイッチング素子」と呼ぶ場合がある。
【００３５】
スイッチング素子５１とスイッチング素子５２との接続端６Ａと、スイッチング素子５３とスイッチング素子５４との接続端６Ｂとは、ブリッジ回路における交流端を構成する。接続端６Ａと接続端６Ｂとの間には、単相モータ１２が接続される。
【００３６】
スイッチング素子５１〜５４のそれぞれには、金属酸化膜半導体電界効果型トランジスタであるＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）が使用される。ＭＯＳＦＥＴは、ＦＥＴ（Ｆｉｅｌｄ−Ｅｆｆｅｃｔ  Ｔｒａｎｓｉｓｔｏｒ）の一例である。
【００３７】
スイッチング素子５１には、スイッチング素子５１のドレインとソースとの間に並列接続されるボディダイオード５１ａが形成される。スイッチング素子５２には、スイッチング素子５２のドレインとソースとの間に並列接続されるボディダイオード５２ａが形成される。スイッチング素子５３には、スイッチング素子５３のドレインとソースとの間に並列接続されるボディダイオード５３ａが形成される。スイッチング素子５４には、スイッチング素子５４のドレインとソースとの間に並列接続されるボディダイオード５４ａが形成される。複数のボディダイオード５１ａ，５２ａ，５３ａ，５４ａのそれぞれは、ＭＯＳＦＥＴの内部に形成される寄生ダイオードであり、還流ダイオードとして使用される。なお、別途の環流ダイオードを接続してもよい。また、ＭＯＳＦＥＴに代えて絶縁ゲートバイポーラトランジスタ（Ｉｎｓｕｌａｔｅｄ  Ｇａｔｅ  Ｂｉｐｏｌａｒ  Ｔｒａｎｓｉｓｔｏｒ：ＩＧＢＴ）を用いてもよい。
【００３８】
スイッチング素子５１〜５４は、シリコン系材料により形成されたＭＯＳＦＥＴに限定されず、炭化珪素、窒化ガリウム、酸化ガリウム又はダイヤモンドといったワイドバンドギャップ（Ｗｉｄｅ  Ｂａｎｄ  Ｇａｐ：ＷＢＧ）半導体により形成されたＭＯＳＦＥＴでもよい。
【００３９】
一般的にＷＢＧ半導体はシリコン半導体に比べて耐電圧及び耐熱性が高い。そのため、複数のスイッチング素子５１〜５４のうちの少なくとも１つにＷＢＧ半導体を用いることにより、スイッチング素子の耐電圧性及び許容電流密度が高くなり、スイッチング素子を組み込んだ半導体モジュールを小型化できる。また、ＷＢＧ半導体は、耐熱性も高い。このため、半導体モジュールで発生した熱を放熱するための放熱部の小型化が可能である。また、半導体モジュールで発生した熱を放熱する放熱構造の簡素化が可能である。
【００４０】
また、図６は、図５に示すインバータ１１の変形例を示す回路図である。図６に示すインバータ１１Ａは、図５に示すインバータ１１の構成において、更にシャント抵抗５５ａ，５５ｂを追加したものである。シャント抵抗５５ａは、レグ５Ａに流れる電流を検出するための検出器であり、シャント抵抗５５ｂは、レグ５Ｂに流れる電流を検出するための検出器である。図６に示すように、シャント抵抗５５ａは、スイッチング素子５２の低電位側の端子と、直流母線１６ｂとの間に接続され、シャント抵抗５５ｂは、スイッチング素子５４の低電位側の端子と直流母線１６ｂとの間に接続されている。シャント抵抗５５ａ，５５ｂを備えるインバータ１１Ａを用いた場合、図１に示す電流センサ２２は、省略することができる。この構成の場合、シャント抵抗５５ａ，５５ｂの検出値は、アナログディジタル変換器３０を介してプロセッサ３１に送られる。プロセッサ３１は、シャント抵抗５５ａ，５５ｂの検出値に基づいて、後述する起動制御を実施する。
【００４１】
なお、シャント抵抗５５ａは、レグ５Ａに流れる電流を検出できるものであればよく、図６のものに限定されない。シャント抵抗５５ａは、直流母線１６ａとスイッチング素子５１の高電位側の端子との間、スイッチング素子５１の低電位側の端子と接続端６Ａとの間、又は接続端６Ａとスイッチング素子５２の高電位側の端子との間に配置されるものであってもよい。同様に、シャント抵抗５５ｂは、直流母線１６ａとスイッチング素子５３の高電位側の端子との間、スイッチング素子５３の低電位側の端子と接続端６Ｂとの間、又は接続端６Ｂとスイッチング素子５４の高電位側の端子との間に配置されるものであってもよい。また、シャント抵抗５５ａ，５５ｂに代え、ＭＯＦＦＥＴのオン抵抗を利用し、オン抵抗の両端に生じる電圧で電流検出を行う構成としてもよい。
【００４２】
図７は、図１に示す制御部２５の機能部位のうちのＰＷＭ信号を生成する機能部位を示すブロック図である。
【００４３】
図７において、キャリア比較部３８には、後述する電圧指令Ｖｍを生成するときに用いる進角制御された進角位相θｖと基準位相θｅとが入力される。基準位相θｅは、ロータ１２ａの基準位置からの角度であるロータ機械角θｍを電気角に換算した位相である。なお、前述したように、実施の形態に係るモータ駆動装置２は、位置センサからの位置センサ信号を用いない、いわゆる位置センサレス駆動の構成である。このため、ロータ機械角θｍ及び基準位相θｅは、演算によって推定される。また、ここで言う「進角位相」とは、電圧指令の「進み角」である「進角」を位相で表したものである。更に、ここで言う「進み角」とは、ステータ１２ｂの巻線１２ｆに印加されるモータ印加電圧と、ステータ１２ｂの巻線１２ｆに誘起されるモータ誘起電圧との間の位相差である。なお、モータ印加電圧がモータ誘起電圧よりも進んでいるときに「進み角」は正の値をとる。
【００４４】
また、キャリア比較部３８には、進角位相θｖと基準位相θｅとに加え、キャリア生成部３３で生成されたキャリアと、直流電圧Ｖｄｃと、電圧指令Ｖｍの振幅値である電圧振幅指令Ｖ＊とが入力される。キャリア比較部３８は、キャリア、進角位相θｖ、基準位相θｅ、直流電圧Ｖｄｃ及び電圧振幅指令Ｖ＊に基づいて、ＰＷＭ信号Ｑ１〜Ｑ４を生成する。
【００４５】
図８は、図７に示すキャリア比較部３８の一例を示すブロック図である。図８には、キャリア比較部３８Ａ及びキャリア生成部３３の詳細構成が示されている。
【００４６】
図８において、キャリア生成部３３には、キャリアの周波数であるキャリア周波数ｆＣ［Ｈｚ］が設定される。キャリア周波数ｆＣの矢印の先には、キャリア波形の一例として、“０”と“１”との間を上下する三角波キャリアが示される。インバータ１１のＰＷＭ制御には、同期ＰＷＭ制御と非同期ＰＷＭ制御とがある。同期ＰＷＭ制御の場合、進角位相θｖにキャリアを同期させる必要がある。一方、非同期ＰＷＭ制御の場合、進角位相θｖにキャリアを同期させる必要はない。
【００４７】
キャリア比較部３８Ａは、図８に示すように、絶対値演算部３８ａ、除算部３８ｂ、乗算部３８ｃ、乗算部３８ｄ、乗算部３８ｆ、加算部３８ｅ、比較部３８ｇ、比較部３８ｈ、出力反転部３８ｉ及び出力反転部３８ｊを有する。
【００４８】
絶対値演算部３８ａでは、電圧振幅指令Ｖ＊の絶対値｜Ｖ＊｜が演算される。除算部３８ｂでは、絶対値｜Ｖ＊｜が、電圧センサ２０で検出された直流電圧Ｖｄｃによって除算される。図８の構成では、除算部３８ｂの出力が変調率となる。バッテリ１０の出力電圧であるバッテリ電圧は、電流を流し続けることにより変動する。一方、絶対値｜Ｖ＊｜を直流電圧Ｖｄｃで除算することにより、変調率の値を調整し、バッテリ電圧の低下によってモータ印加電圧が低下しないようにできる。
【００４９】
乗算部３８ｃでは、基準位相θｅに進角位相θｖを加えた“θｅ＋θｖ”の正弦値が演算される。演算された“θｅ＋θｖ”の正弦値は、除算部３８ｂの出力である変調率に乗算される。乗算部３８ｄでは、乗算部３８ｃの出力である電圧指令Ｖｍに“１／２”が乗算される。加算部３８ｅでは、乗算部３８ｄの出力に“１／２”が加算される。乗算部３８ｆでは、加算部３８ｅの出力に“−１”が乗算される。加算部３８ｅの出力は、複数のスイッチング素子５１〜５４のうち、上アームの２つのスイッチング素子５１，５３を駆動するための正側電圧指令Ｖｍ１として比較部３８ｇに入力され、乗算部３８ｆの出力は、下アームの２つのスイッチング素子５２，５４を駆動するための負側電圧指令Ｖｍ２として比較部３８ｈに入力される。
【００５０】
比較部３８ｇでは、正側電圧指令Ｖｍ１と、キャリアの振幅とが比較される。比較部３８ｇの出力を反転した出力反転部３８ｉの出力は、スイッチング素子５１へのＰＷＭ信号Ｑ１となり、比較部３８ｇの出力は、スイッチング素子５２へのＰＷＭ信号Ｑ２となる。同様に、比較部３８ｈでは、負側電圧指令Ｖｍ２と、キャリアの振幅とが比較される。比較部３８ｈの出力を反転した出力反転部３８ｊの出力は、スイッチング素子５３へのＰＷＭ信号Ｑ３となり、比較部３８ｈの出力は、スイッチング素子５４へのＰＷＭ信号Ｑ４となる。出力反転部３８ｉにより、スイッチング素子５１とスイッチング素子５２とが同時にオンされることはなく、出力反転部３８ｊにより、スイッチング素子５３とスイッチング素子５４とが同時にオンされることはない。
【００５１】
図９は、図８に示すキャリア比較部３８Ａを用いて動作させたときの要部の波形例を示すタイムチャートである。図９には、加算部３８ｅから出力される正側電圧指令Ｖｍ１の波形と、乗算部３８ｆから出力される負側電圧指令Ｖｍ２の波形と、ＰＷＭ信号Ｑ１〜Ｑ４の波形と、インバータ出力電圧の波形とが示されている。
【００５２】
ＰＷＭ信号Ｑ１は、正側電圧指令Ｖｍ１がキャリアよりも大きいときに“ロー（Ｌｏｗ）”となり、正側電圧指令Ｖｍ１がキャリアよりも小さいときに“ハイ（Ｈｉｇｈ）”となる。ＰＷＭ信号Ｑ２は、ＰＷＭ信号Ｑ１の反転信号である。ＰＷＭ信号Ｑ３は、負側電圧指令Ｖｍ２がキャリアよりも大きいときに“ロー（Ｌｏｗ）”となり、負側電圧指令Ｖｍ２がキャリアよりも小さいときに“ハイ（Ｈｉｇｈ）”となる。ＰＷＭ信号Ｑ４は、ＰＷＭ信号Ｑ３の反転信号である。このように、図８に示される回路は、“ローアクティブ（Ｌｏｗ  Ａｃｔｉｖｅ）”で構成されているが、それぞれの信号が逆の値となる“ハイアクティブ（Ｈｉｇｈ  Ａｃｔｉｖｅ）”で構成されていてもよい。
【００５３】
インバータ出力電圧の波形は、図９に示されるように、ＰＷＭ信号Ｑ１とＰＷＭ信号Ｑ４との差電圧による電圧パルスと、ＰＷＭ信号Ｑ３とＰＷＭ信号Ｑ２との差電圧による電圧パルスとが表れる。これらの電圧パルスが、モータ印加電圧として、単相モータ１２に印加される。
【００５４】
ＰＷＭ信号Ｑ１〜Ｑ４を生成する際に使用する変調方式としては、バイポーラ変調と、ユニポーラ変調とが知られている。バイポーラ変調は、電圧指令Ｖｍの１周期ごとに正又は負の電位で変化する電圧パルスを出力する変調方式である。ユニポーラ変調は、電圧指令Ｖｍの１周期ごとに３つの電位で変化する電圧パルス、すなわち正の電位と負の電位と零の電位とに変化する電圧パルスを出力する変調方式である。図９に示される波形は、ユニポーラ変調によるものである。実施の形態に係るモータ駆動装置２においては、何れの変調方式を用いてもよい。なお、モータ電流波形をより正弦波に制御する必要がある用途では、バイポーラ変調よりも、高調波含有率が少ないユニポーラ変調を採用することが好ましい。
【００５５】
また、図９に示される波形は、電圧指令Ｖｍの半周期Ｔ／２の期間において、レグ５Ａを構成するスイッチング素子５１，５２と、レグ５Ｂを構成するスイッチング素子５３，５４の４つのスイッチング素子をスイッチング動作させる方式によって得られる。この方式は、正側電圧指令Ｖｍ１と負側電圧指令Ｖｍ２の双方でスイッチング動作させることから、「両側ＰＷＭ」と呼ばれる。これに対し、電圧指令Ｖｍの１周期Ｔのうちの一方の半周期では、スイッチング素子５１，５２のスイッチング動作を休止させ、電圧指令Ｖｍの１周期Ｔのうちの他方の半周期では、スイッチング素子５３，５４のスイッチング動作を休止させる方式もある。この方式は、「片側ＰＷＭ」と呼ばれる。以下、「片側ＰＷＭ」について説明する。なお、以下の説明において、両側ＰＷＭで動作させる動作モードを「両側ＰＷＭモード」と呼び、片側ＰＷＭで動作させる動作モードを「片側ＰＷＭモード」と呼ぶ。
【００５６】
図１０は、図７に示すキャリア比較部３８の他の例を示すブロック図である。図１０には、上述した「片側ＰＷＭ」によるＰＷＭ信号の生成回路の一例が示され、具体的には、キャリア比較部３８Ｂ及びキャリア生成部３３の詳細構成が示されている。なお、図１０に示されるキャリア生成部３３の構成は、図８に示されるものと同一又は同等である。また、図１０に示されるキャリア比較部３８Ｂの構成において、図８に示されるキャリア比較部３８Ａと同一又は同等の構成部には同一の符号を付して示している。
【００５７】
キャリア比較部３８Ｂは、図１０に示されるように、絶対値演算部３８ａ、除算部３８ｂ、乗算部３８ｃ、乗算部３８ｋ、加算部３８ｍ、加算部３８ｎ、比較部３８ｇ、比較部３８ｈ、出力反転部３８ｉ及び出力反転部３８ｊを有する。
【００５８】
絶対値演算部３８ａでは、電圧振幅指令Ｖ*の絶対値｜Ｖ*｜が演算される。除算部３８ｂでは、絶対値｜Ｖ*｜が、電圧センサ２０で検出された直流電圧Ｖｄｃによって除算される。図１０の構成でも、除算部３８ｂの出力が変調率となる。
【００５９】
乗算部３８ｃでは、基準位相θｅに進角位相θｖを加えた“θｅ＋θｖ”の正弦値が演算される。演算された“θｅ＋θｖ”の正弦値は、除算部３８ｂの出力である変調率に乗算される。乗算部３８ｋでは、乗算部３８ｃの出力である電圧指令Ｖｍに“−１”が乗算される。加算部３８ｍでは、乗算部３８ｃの出力である電圧指令Ｖｍに“１”が加算される。加算部３８ｎでは、乗算部３８ｋの出力、即ち電圧指令Ｖｍの反転出力に“１”が加算される。加算部３８ｍの出力は、複数のスイッチング素子５１〜５４のうち、上アームの２つのスイッチング素子５１，５３を駆動するための第１電圧指令Ｖｍ３として比較部３８ｇに入力される。加算部３８ｎの出力は、下アームの２つのスイッチング素子５２，５４を駆動するための第２電圧指令Ｖｍ４として比較部３８ｈに入力される。
【００６０】
比較部３８ｇでは、第１電圧指令Ｖｍ３と、キャリアの振幅とが比較される。比較部３８ｇの出力を反転した出力反転部３８ｉの出力は、スイッチング素子５１へのＰＷＭ信号Ｑ１となり、比較部３８ｇの出力は、スイッチング素子５２へのＰＷＭ信号Ｑ２となる。同様に、比較部３８ｈでは、第２電圧指令Ｖｍ４と、キャリアの振幅とが比較される。比較部３８ｈの出力を反転した出力反転部３８ｊの出力は、スイッチング素子５３へのＰＷＭ信号Ｑ３となり、比較部３８ｈの出力は、スイッチング素子５４へのＰＷＭ信号Ｑ４となる。出力反転部３８ｉにより、スイッチング素子５１とスイッチング素子５２とが同時にオンされることはなく、出力反転部３８ｊにより、スイッチング素子５３とスイッチング素子５４とが同時にオンされることはない。
【００６１】
図１１は、図１０に示すキャリア比較部３８Ｂを用いて動作させたときの要部の波形例を示すタイムチャートである。図１１には、加算部３８ｍから出力される第１電圧指令Ｖｍ３の波形と、加算部３８ｎから出力される第２電圧指令Ｖｍ４の波形と、ＰＷＭ信号Ｑ１〜Ｑ４の波形と、インバータ出力電圧の波形とが示されている。なお、図１１では、便宜的に、キャリアのピーク値よりも振幅値が大きくなる第１電圧指令Ｖｍ３の波形部分と、キャリアのピーク値よりも振幅値が大きくなる第２電圧指令Ｖｍ４の波形部分は、フラットな直線で表されている。
【００６２】
ＰＷＭ信号Ｑ１は、第１電圧指令Ｖｍ３がキャリアよりも大きいときに“ロー（Ｌｏｗ）”となり、第１電圧指令Ｖｍ３がキャリアよりも小さいときに“ハイ（Ｈｉｇｈ）”となる。ＰＷＭ信号Ｑ２は、ＰＷＭ信号Ｑ１の反転信号である。ＰＷＭ信号Ｑ３は、第２電圧指令Ｖｍ４がキャリアよりも大きいときに“ロー（Ｌｏｗ）”となり、第２電圧指令Ｖｍ４がキャリアよりも小さいときに“ハイ（Ｈｉｇｈ）”となる。ＰＷＭ信号Ｑ４は、ＰＷＭ信号Ｑ３の反転信号である。このように、図１０に示される回路は、“ローアクティブ（Ｌｏｗ  Ａｃｔｉｖｅ）”で構成されているが、それぞれの信号が逆の値となる“ハイアクティブ（Ｈｉｇｈ  Ａｃｔｉｖｅ）”で構成されていてもよい。
【００６３】
インバータ出力電圧の波形は、図１１に示されるように、ＰＷＭ信号Ｑ１とＰＷＭ信号Ｑ４との差電圧による電圧パルスと、ＰＷＭ信号Ｑ３とＰＷＭ信号Ｑ２との差電圧による電圧パルスとが表れる。これらの電圧パルスが、モータ印加電圧として、単相モータ１２に印加される。
【００６４】
図１１に示される波形では、電圧指令Ｖｍの１周期Ｔのうちの一方の半周期では、スイッチング素子５１，５２のスイッチング動作が休止し、電圧指令Ｖｍの１周期Ｔのうちの他方の半周期では、スイッチング素子５３，５４のスイッチング動作が休止している。
【００６５】
また、図１１に示される波形では、電圧指令Ｖｍの１周期Ｔのうちの一方の半周期では、スイッチング素子５２は常時オン状態となるように制御され、電圧指令Ｖｍの１周期Ｔのうちの他方の半周期では、スイッチング素子５４は常時オン状態となるように制御される。なお、図１１は一例であり、一方の半周期では、スイッチング素子５１が常時オン状態となるように制御され、他方の半周期では、スイッチング素子５３が常時オン状態となるように制御される場合も有り得る。即ち、図１１に示される波形には、電圧指令Ｖｍの半周期において、スイッチング素子５１〜５４のうちの少なくとも１つがオン状態となるように制御されるという特徴がある。
【００６６】
また、図１１において、インバータ出力電圧の波形は、電圧指令Ｖｍの１周期ごとに３つの電位で変化するユニポーラ変調となる。前述の通り、ユニポーラ変調に代えてバイポーラ変調を用いてもよいが、モータ電流波形をより正弦波に制御する必要がある用途では、ユニポーラ変調を採用することが好ましい。
【００６７】
図１２は、図８に示すキャリア比較部３８Ａを用いて動作させたときの要部の波形例を示す図９とは異なるタイムチャートである。図９は、正側電圧指令Ｖｍ１及び負側電圧指令Ｖｍ２が正弦波である場合の例示であるのに対し、図１２は、正側電圧指令Ｖｍ１及び負側電圧指令Ｖｍ２が固定値である場合、即ち、電圧指令Ｖｍが直流である場合を示している。以下、直流の電圧指令Ｖｍに基づいて単相モータ１２を駆動することを「直流励磁」と呼ぶ。直流励磁において、直流の電圧指令Ｖｍが、電圧指令Ｖｍの半周期Ｔ／２の期間ごとに一定値である場合、それぞれのＰＷＭ信号Ｑ１〜Ｑ４において、パルス幅が等しい、即ち等幅の電圧パルス列が得られる。また、図１０に示すキャリア比較部３８Ｂを用いても直流励磁のＰＷＭ信号Ｑ１〜Ｑ４の生成は、可能である。具体的に、図１０に示すキャリア比較部３８Ｂの場合、例えば、乗算部３８ｃに入力する“θｅ＋θｖ”の値をπ／２に設定し、加算部３８ｍにおいて加算する係数“１”の値、及び加算部３８ｎにおいて加算する係数“１”の値を、適宜調整することで、直流励磁のＰＷＭ信号Ｑ１〜Ｑ４の波形が得られる。
【００６８】
次に、本実施の形態における要部の制御である起動制御について説明する。図１３は、実施の形態における起動制御の説明に供する第１の図である。図１３には、ＰＷＭ信号Ｑ１〜Ｑ４の波形と、インバータ出力電圧の波形と、モータ電流Ｉｍの波形と、ロータ位置とが示されている。なお、以下に示す動作波形は、図１０に示すキャリア比較部３８Ｂを用いて動作させた場合を例示する。
【００６９】
まず、単相モータ１２を起動するために巻線１２ｆを直流励磁する。図１３の例では、（ａ）の上段部に示されるように、パルス電圧であるＰＷＭ信号Ｑ２，Ｑ３によって、スイッチング素子５２，５３をオンにしている。ここで、ロータ位置が、（ａ）の下段部に示される磁極位置であると仮定する。この場合、巻線１２ｆに発生する磁極と、ロータ１２ａの磁極とが異極であり、巻線１２ｆとロータ１２ａとの間に吸引力が発生する。ロータ１２ａは停止状態であるため、速度起電力は発生しない。従って、ロータ１２ａには、巻線抵抗のみに応じた電流が流れる。このため、（ａ）の中段部に示されるような、急峻に上昇するモータ電流Ｉｍが発生する。制御部２５は、この電流を遮断するため、全てのＰＷＭ信号Ｑ１〜Ｑ４をオフにする。具体的に、制御部２５は、モータ電流Ｉｍが第１の閾値Ｖｔｈ１を超えた場合に、ＰＷＭ信号Ｑ１〜Ｑ４をオフに制御して、インバータ出力電圧をゼロにする。これにより、単相モータ１２に対するインバータ出力電圧の印加は停止される。また、この制御により、巻線１２ｆを過電流から保護することができる。
【００７０】
上記の直流励磁によって、ロータ１２ａの磁極の位置が判明する。そこで、制御部２５は、上記とは逆極性のＰＷＭ信号に基づいて、巻線１２ｆを直流励磁する。図１３の例では、（ｂ）の上段部に示されるように、ＰＷＭ信号Ｑ１，Ｑ４によって、スイッチング素子５１，５４をオンにした後、図１１に示す片側ＰＷＭによるパルス状の電圧パルス列であるＰＷＭ信号Ｑ１〜Ｑ４を用いて、スイッチング素子５１〜５４を駆動する。そして、モータ電流Ｉｍが成長し、モータ電流Ｉｍが第１の閾値Ｖｔｈ１よりも小さい第２の閾値Ｖｔｈ２を超えた際に、励磁方向を逆転させる。これ以降、モータ電流Ｉｍが第２の閾値Ｖｔｈ２を超える都度、励磁方向を逆転させる。以上の制御により、ロータ位置は、（ｂ）及び（ｃ）の下段部に示される磁極の状態を交互に繰り返す。これにより、単相モータ１２を位置センサレスで起動する場合であっても、単相モータ１２を安定的に起動することができる。
【００７１】
なお、図１３の例は、ＰＷＭ信号Ｑ２，Ｑ３による１つのパルスでモータ電流Ｉｍが第１の閾値Ｖｔｈ１を超える場合を示しているが、１つのパルスではモータ電流Ｉｍが第１の閾値Ｖｔｈ１に達しない場合も考えられる。その場合には、複数のパルスを印加し、モータ電流Ｉｍが第１の閾値Ｖｔｈ１を超えたときに、ＰＷＭ信号Ｑ１〜Ｑ４をオフに制御する。
【００７２】
図１４は、実施の形態における起動制御の説明に供する第２の図である。図１４における図１３との相違点は、図１３（ａ）及び図１４（ａ）の各ロータ位置に示されるように、ロータ１２ａの磁極の極性が図１３とは逆になっている点である。これにより、図１４では、負極性のモータ電流Ｉｍは緩やかに上昇する。従って、モータ電流Ｉｍを第１の閾値Ｖｔｈ１と比較することで、ロータ１２ａの停止位置における磁極を一意に特定することができる。
【００７３】
ＰＷＭ信号Ｑ１〜Ｑ４を出力し続けることで、モータ電流Ｉｍは緩やかに成長する。このため、図１３の場合と同様に、モータ電流Ｉｍが第２の閾値Ｖｔｈ２を超えた際に、励磁方向を逆転させる。以降の動作は、図１３のときと同様である。
【００７４】
図１５は、実施の形態における電流検出タイミングの説明に供するタイムチャートである。図１５において、上段部にはキャリアの波形が示されている。また、中段部には駆動時における電流検出及びモータ制御演算のタイミングが示され、下段部には起動時における電流検出及びモータ制御演算のタイミングが示されている。なお、図１５では、キャリアの半周期ごとに、１回の電流検出と、１回のモータ制御演算を行う場合を例示している。
【００７５】
図１５の中段部に示されるように、駆動時においては、キャリアの山及び谷で電流検出を行っている。モータ電流Ｉｍは交流電流であり、検出タイミングによって得られる電流値も変化する。このため、駆動時においては、モータ電流Ｉｍの平均的な電流値を検出するために、キャリアの山及び谷で電流検出を行うことが、好ましい実施の形態となる。
【００７６】
一方、起動時においては、モータ保護の観点から、電流検出のタイミングを考える。キャリアの山及び谷の時点はモータ電流Ｉｍが成長する途上にあり、キャリアの山と谷との中間位置まで成長し続ける。このため、起動時においては、電流検出のタイミングを駆動時とは異ならせ、キャリアの山と谷との中間位置を電流検出のタイミングとする。これにより、図１３に示すような、巻線１２ｆに発生する磁極とロータ１２ａの磁極とが異極の場合において発生し得る過電流を速やかに検出することができる。また、過電流の検出を、高性能なプロセッサ３１及びアナログディジタル変換器３０を使用することなく実現することができる。
【００７７】
以上説明したように、実施の形態に係るモータ駆動装置は、単相モータにインバータの出力電圧を印加して単相モータを起動する際に、インバータ又は単相モータに流れる電流の絶対値が第１の閾値を超えた場合には、出力電圧の印加を停止し、その後、出力電圧の極性を反転する。これにより、単相モータを位置センサレスで起動する場合であっても、単相モータを安定的に起動することができる。
【００７８】
また、実施の形態に係るモータ駆動装置は、インバータ又は単相モータに流れる電流の絶対値が第１の閾値を超えない場合には、出力電圧を単相モータに印加してからの経過時間が第１の時間を超え、且つ、インバータ又は単相モータに流れる電流の絶対値が第１の閾値よりも小さい第２の閾値を超えた場合に出力電圧の極性を反転する。ここで言う第１の時間は、図１３において、モータ電流が第１の閾値を超えるときの時間よりも長い時間であり、且つ、図１４において、モータ電流が第２の閾値を超えるときの時間よりも短い時間である。これにより、単相モータを位置センサレスで起動する場合であっても、単相モータを安定的に起動することができる。
【００７９】
なお、上述の制御は、単相モータを起動する直前ではなく、単相モータを停止する直後に実施してもよい。具体的には、単相モータを停止する際には、インバータの出力電圧を単相モータに印加し、インバータ又は単相モータに流れる電流の絶対値が第１の閾値を超えた時点で出力電圧の印加を停止する。或いは、インバータ又は単相モータに流れる電流の絶対値が第１の閾値を超えない場合には、出力電圧を単相モータに印加してからの経過時間が上述した第１の時間を超え、且つ、インバータ又は単相モータに流れる電流の絶対値が第１の閾値よりも小さい第２の閾値を超えた時点で出力電圧の印加を停止する。これらの制御は特に、単相モータの構造が、単相モータの停止中ではシャフト外力により回転することが考えにくい製品構造の場合に好適に用いることができる。これらの製品構造の単相モータにおいて、単相モータの停止直後に上述した停止制御を実施することで、次回の起動時における起動時間を短縮できるという顕著な効果が得られる。
【００８０】
次に、実施の形態に係るモータ駆動装置の適用例について説明する。上述したモータ駆動装置は、例えば電気掃除機に用いることができる。電気掃除機のように、電源の投入直後から直ぐに使用する製品の場合、実施の形態に係るモータ駆動装置が有する起動時間短縮による効果が大きくなる。
【００８１】
図１６は、実施の形態に係るモータ駆動装置２を備えた電気掃除機６１の構成図である。図１６に示す電気掃除機６１は、いわゆるスティック型の電気掃除機である。図１６において、電気掃除機６１は、図１に示されるバッテリ１０と、図１に示されるモータ駆動装置２と、図１に示される単相モータ１２により駆動される電動送風機６４と、集塵室６５と、センサ６８と、吸込口体６３と、延長管６２と、操作部６６とを備える。
【００８２】
電気掃除機６１を使用するユーザは、操作部６６を持ち、電気掃除機６１を操作する。電気掃除機６１のモータ駆動装置２は、バッテリ１０を電源として電動送風機６４を駆動する。電動送風機６４が駆動されることにより、吸込口体６３からごみの吸込みが行われる。吸込まれたごみは、延長管６２を介して集塵室６５へ集められる。
【００８３】
なお、図１６では、スティック型の電気掃除機を例示したが、スティック型の電気掃除機に限定されるものではない。電動送風機を搭載した電気機器であれば、任意の製品に本発明を適用できる。
【００８４】
また、図１６は、バッテリ１０を電源として用いる構成であるが、これに限定されない。バッテリ１０に代えて、コンセントから供給する交流電源を用いる構成でもよい。
【００８５】
次に、実施の形態に係るモータ駆動装置の他の適用例について説明する。上述したモータ駆動装置は、例えばハンドドライヤに用いることができる。ハンドドライヤの場合、手を挿入してから電動送風機を駆動するまでの時間が短い程、ユーザの使用感は向上する。このため、実施の形態に係るモータ駆動装置が有する起動時間短縮の効果が大いに発揮される。
【００８６】
図１７は、実施の形態に係るモータ駆動装置２を備えたハンドドライヤ９０の構成図である。図１７において、ハンドドライヤ９０は、図１に示されるモータ駆動装置２と、ケーシング９１と、手検知センサ９２と、水受け部９３と、ドレン容器９４と、カバー９６と、センサ９７と、吸気口９８と、図１に示される単相モータ１２により駆動される電動送風機９５とを備える。ここで、センサ９７は、ジャイロセンサ及び人感センサの何れかである。ハンドドライヤ９０では、水受け部９３の上部にある手挿入部９９に手が挿入されることにより、電動送風機９５による送風で水が吹き飛ばされ、吹き飛ばされた水は、水受け部９３で集められた後、ドレン容器９４に溜められる。
【００８７】
上述した電気掃除機６１及びハンドドライヤ９０は、何れも実施の形態に係るモータ駆動装置２を備えた位置センサレスの製品であるため、以下に示す効果が得られる。
【００８８】
まず、位置センサレスの構成の場合、位置センサが無くても起動することができるため、位置センサの材料費、加工費等のコストを削減することができる。また、位置センサが無いため、位置センサの取り付けずれによる性能影響を無くすことができる。これにより、安定した性能を確保することができる。
【００８９】
また、位置センサはセンシティブなセンサであるため、位置センサの設置位置に関して、高精度な取り付け精度が要求される。また、取り付け後に位置センサの取り付け位置に応じた調整が必要になる。これに対し、位置センサレスの構成の場合、位置センサそのものが不要となり、位置センサの調整工程も排除することができる。これにより、製造コストを大幅に削減することができる。また、位置センサの経年変化による影響が発生しないため、製品の品質を向上させることができる。
【００９０】
また、位置センサレスの構成の場合、位置センサが不要であるため、インバータと単相モータとを分離して構成することができる。これにより、製品に対する制約を緩和することが可能となる。例えば、水分の多い水場で使用する製品の場合、製品におけるインバータの搭載位置を水場から遠い箇所に配置することができる。これにより、インバータが故障する可能性を小さくできるので、装置の信頼性を高めることができる。
【００９１】
また、位置センサレスの構成の場合、位置センサに代えて配置した電流センサにより、モータ電流又はインバータ電流を検出することで、軸ロック及び欠相と言ったモータの異常を検知することができる。このため、位置センサが無くても、製品を安全に停止させることができる。
【００９２】
以上の通り、実施の形態に係るモータ駆動装置を電気掃除機及びハンドドライヤに適用した構成例を説明したが、これらの例に限定されない。モータ駆動装置２は、モータが搭載された電気機器に広く適用することができる。モータが搭載された電気機器の例は、焼却炉、粉砕機、乾燥機、集塵機、印刷機械、クリーニング機械、製菓機械、製茶機械、木工機械、プラスチック押出機、ダンボール機械、包装機械、熱風発生機、ＯＡ機器、及び電動送風機である。電動送風機は、物体輸送用、吸塵用、又は一般送排風用の送風手段である。
【００９３】
なお、以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００９４】
１  モータ駆動システム、２  モータ駆動装置、５Ａ，５Ｂ  レグ、６Ａ，６Ｂ  接続端、１０  バッテリ、１１，１１Ａ  インバータ、１２  単相モータ、１２ａ  ロータ、１２ｂ  ステータ、１２ｃ  シャフト、１２ｄ  分割コア、１２ｅ  ティース、１２ｅ１  第１先端部、１２ｅ２  第２先端部、１２ｆ  巻線、１６ａ，１６ｂ  直流母線、２０  電圧センサ、２２  電流センサ、２５  制御部、３０  アナログディジタル変換器、３０ａ  ディジタル出力値、３１  プロセッサ、３２  駆動信号生成部、３３  キャリア生成部、３４  メモリ、３８、３８Ａ，３８Ｂ  キャリア比較部、３８ａ  絶対値演算部、３８ｂ  除算部、３８ｃ，３８ｄ，３８ｆ，３８ｋ  乗算部、３８ｅ，３８ｍ，３８ｎ  加算部、３８ｇ，３８ｈ  比較部、３８ｉ，３８ｊ  出力反転部、５１，５２，５３，５４  スイッチング素子、５１ａ，５２ａ，５３ａ，５４ａ  ボディダイオード、５５ａ，５５ｂ  シャント抵抗、６１  電気掃除機、６２  延長管、６３  吸込口体、６４，９５  電動送風機、６５  集塵室、６６  操作部、６８，９７  センサ、９０  ハンドドライヤ、９１  ケーシング、９２  手検知センサ、９３  水受け部、９４  ドレン容器、９６  カバー、９８  吸気口、９９  手挿入部。
【図１】
2020208786.tif 000003
【図２】
2020208786.tif 000004
【図３】
2020208786.tif 000005
【図４】
2020208786.tif 000006
【図５】
2020208786.tif 000007
【図６】
2020208786.tif 000008
【図７】
2020208786.tif 000009
【図８】
2020208786.tif 000010
【図９】
2020208786.tif 000011
【図１０】
2020208786.tif 000012
【図１１】
2020208786.tif 000013
【図１２】
2020208786.tif 000014
【図１３】
2020208786.tif 000015
【図１４】
2020208786.tif 000016
【図１５】
2020208786.tif 000017
【図１６】
2020208786.tif 000018
【図１７】
2020208786.tif 000019
【国際調査報告】
2020208786.tif 000020
2020208786.tif 000021
2020208786.tif 000022
2020208786.tif 000023